(57)【要約】【課題】マッチングされる対象の形状が複数状態になり得る入力画像とのマッチングに要する処理時間を低下させること。【解決手段】単一ピース分のマスター画像を用いて入力画像とのマッチングをする情報処理装置が、単一ピース分のマスター画像毎に当該マスター画像の長さデータを対応づけて記憶し、単一ピース分のマスター画像を指定し、入力画像と、指定した単一ピース分のマスター画像の単一ピース領域とをそれぞれマッチングさせる領域として、当該入力画像でのマッチング対象領域を設定し、その際に、マッチング対象領域の長さが、指定した単一ピース分のマスター画像に対応づけられている長さデータの２倍以下である。【選択図】図１０
2018173804.tif 000002
【特許請求の範囲】
【請求項１】
単一ピース分のマスター画像を用いて入力画像とのマッチングをする情報処理装置であって、
単一ピース分のマスター画像毎に当該マスター画像の長さデータを対応づけて記憶する記憶手段と、
単一ピース分のマスター画像を指定する指定手段と、
前記入力画像と、前記指定した単一ピース分のマスター画像の単一ピース領域とをそれぞれマッチングさせる領域として、当該入力画像でのマッチング対象領域を設定する設定手段と、
を備え、
前記マッチング対象領域の長さが、前記指定した単一ピース分のマスター画像に対応づけられている長さデータの２倍以下であることを特徴とする情報処理装置。
【請求項２】
更に前記指定した単一ピース分のマスター画像に対応づけられている長さデータの１倍以上で２倍以下であることを特徴とする請求項１に記載の情報処理装置。
【請求項３】
単一ピース分のマスター画像を用いて入力画像とのマッチングをする情報処理装置の制御方法であって、
単一ピース分のマスター画像毎に当該マスター画像の長さデータを対応づけて記憶する記憶手段を備え、
前記情報処理装置の指定手段が、単一ピース分のマスター画像を指定する指定工程と、
前記情報処理装置の設定手段が、前記入力画像と、前記指定した単一ピース分のマスター画像の単一ピース領域とをそれぞれマッチングさせる領域として、当該入力画像でのマッチング対象領域を設定する設定工程と、を含み、前記マッチング対象領域の長さが、前記指定した単一ピース分のマスター画像に対応づけられている長さデータの２倍以下であることを特徴とする制御方法。
【請求項４】
単一ピース分のマスター画像を用いて入力画像とのマッチングをする情報処理装置で読み取り実行可能なプログラムであって、
前記情報処理装置を、
単一ピース分のマスター画像毎に当該マスター画像の長さデータを対応づけて記憶する記憶手段と、
単一ピース分のマスター画像を指定する指定手段と、
前記入力画像と、前記指定した単一ピース分のマスター画像の単一ピース領域とをそれぞれマッチングさせる領域として、当該入力画像でのマッチング対象領域を設定する設定手段と、
して機能させ、
前記マッチング対象領域の長さが、前記指定した単一ピース分のマスター画像に対応づけられている長さデータの２倍以下であることを特徴とするプログラム。
【請求項５】
単一ピース分のマスター画像を用いて入力画像とのマッチングをする情報処理装置であって、
単一ピース分のマスター画像毎に当該マスター画像の長さデータを対応づけて記憶する記憶手段と、
単一ピース分のマスター画像を指定する指定手段と、
前記入力画像と、前記指定した単一ピース分のマスター画像の単一ピース領域とをそれぞれマッチングさせる領域として、当該入力画像でのマッチング対象領域を設定する設定手段と、
前記マッチング対象領域の長さが、前記指定した単一ピース分のマスター画像に対応づけられている長さデータの倍数分であることを特徴とする情報処理装置。
【請求項６】
前記マッチング対象領域の長さは、前記入力画像の端部を起点に前記指定した単一ピース分のマスター画像に対応づけられている長さデータの前記倍数分ずらすことで得られることを特徴とする請求項５に記載の情報処理装置。
【請求項７】
単一ピース分のマスター画像を用いて入力画像とのマッチングをする情報処理装置の制御方法であって、
単一ピース分のマスター画像毎に当該マスター画像の長さデータを対応づけて記憶する記憶手段を備え、
前記情報処理装置の指定手段が、単一ピース分のマスター画像を指定する指定工程と、
前記情報処理装置の設定手段が、前記入力画像と、前記指定した単一ピース分のマスター画像の単一ピース領域とをそれぞれマッチングさせる領域として、当該入力画像でのマッチング対象領域を設定する設定工程と、前記マッチング対象領域の長さが、前記指定した単一ピース分のマスター画像に対応づけられている長さデータの倍数であることを特徴とする制御方法。
【請求項８】
単一ピース分のマスター画像を用いて入力画像とのマッチングをする情報処理装置であって、単一ピース分のマスター画像毎に当該マスター画像の長さデータを対応づけて記憶する記憶手段と、単一ピース分のマスター画像を指定する指定手段と、前記入力画像と、前記指定した単一ピース分のマスター画像の単一ピース領域とをそれぞれマッチングさせる領域として、当該入力画像でのマッチング対象領域を設定する設定手段と、前記マッチング対象領域の長さが、前記指定した単一ピース分のマスター画像に対応づけられている長さデータの倍数であることを特徴とするプログラム。
【発明の詳細な説明】
【技術分野】
【０００１】
ＰＴＰシートを撮影した画像から薬剤名を識別する情報処理装置、その制御方法とプログラムの技術に関する。
【背景技術】
【０００２】
ＰＴＰシートを撮影した画像から薬剤名を識別したい場合、あらかじめ登録されたＰＴＰシートのマスター画像と入力画像をマッチングし、マッチングはマスター画像と入力画像から抽出した様々な特徴量を用いて類似度を算出し、登録済みのマスター画像と入力画像をマッチングして得られた類似度が高い場合に、マスター画像と入力画像が同じと判定し、類似度が最も高いマスター画像に関連する薬剤名に、ＰＴＰシートの薬剤名を識別することが考えられる。
【先行技術文献】
【特許文献】
【０００３】
【特許文献１】特開２０１６−１５０９３号公報
【発明の概要】
【発明が解決しようとする課題】
【０００４】
上記特許文献１の分包錠剤監査装置では、錠剤を撮影した画像データから錠剤画像を切り出し、パターン認識によって錠剤候補を示す認識結果を生成し、テンプレート画像とのテンプレートマッチングを行い、マッチング度合を類似度として生成した認識結果に付与するものである。
【０００５】
例えば、一般的なＰＴＰシートには単一ピース（例えば２錠づつ）に切り取りための切り取り線がある。病院に持ち込まれる持参薬は既に患者が服用しているので、完全なＰＴＰシートの状態だけではなく、複数ピースが連結された状態のＰＴＰシートのものや、患者によって単一ピースに切り取られた状態のＰＴＰシートのものも混在する。そのため、マッチングの精度を上げるためには、登録済みのマスター画像に様々な状態（例えば完全なＰＴＰシート、複数ピースが連結された状態のＰＴＰシート、単一ピースに切り取りされたＰＴＰシート等）の複数状態のマスター画像を用意しておき、複数状態それぞれのマスター画像を用いて入力画像とマッチングすることになる。この場合、複数状態それぞれのマスター画像で入力画像とマッチングをすることになるので、マッチングに要する処理時間やステップ数も増加するという問題がある。
【０００６】
本発明は、単一ピース分のマスター画像の適切な条件で入力画像をマッチングさせることで、マッチングされる対象の形状が複数状態になり得る入力画像とのマッチングに要する処理時間を低下させる仕組みを提供することを目的とする。
【０００７】
本願発明は、
【課題を解決するための手段】
【０００８】
本願発明は、単一ピース分のマスター画像を用いて入力画像とのマッチングをする情報処理装置であって、単一ピース分のマスター画像毎に当該マスター画像の長さデータを対応づけて記憶する記憶手段と、単一ピース分のマスター画像を指定する指定手段と、前記入力画像と、前記指定した単一ピース分のマスター画像の単一ピース領域とをそれぞれマッチングさせる領域として、当該入力画像でのマッチング対象領域を設定する設定手段と、を備え、前記マッチング対象領域の長さが、前記指定した単一ピース分のマスター画像に対応づけられている長さデータの２倍以下であることを特徴とする。
【発明の効果】
【０００９】
本発明により、単一ピース分のマスター画像の適切な条件で入力画像をマッチングさせることで、マッチングされる対象の形状が複数状態になり得る入力画像とのマッチングに要する処理時間を低下させる仕組みを提供することが可能となる。
【図面の簡単な説明】
【００１０】
【図１】本願発明の持参薬識別装置１００、持参薬撮影装置２００、薬剤マスター用ＤＢサーバ３００が通信可能に接続されたシステム構成を示す図である。
【図２】本願発明の持参薬識別装置１００と薬剤マスター用ＤＢサーバ３００のハードウェア構成を示す図である。
【図３】本願発明のＰＴＰシートの識別結果出力処理を示すフローチャートである。
【図４】本願発明のＰＴＰシートのマスター画像登録処理を示すフローチャートである。
【図５】本願発明の薬剤マスターに新規に登録されたマスター画像ファイルの一例を示したである。
【図６】本願発明の薬剤マスターで管理される、ＰＴＰシート種別に関連する各種データを並べたテーブルである。
【図７】本願発明の持参薬識別装置１００が表示制御する識別結果表示画面である。
【図８】本願発明の持参薬識別装置１００が表示制御するマスター画像新規登録画面である。
【図９】本願発明の持参薬識別装置１００の機能ブロックを示す図である。
【図１０】本願発明のマッチング対象領域の概念図を示したものである。
【発明を実施するための形態】
【００１１】
図１を説明する。
【００１２】
入院患者が持参する薬剤をカメラで撮影し、薬剤マスターの情報と照合し、薬剤を判別する。
持参する薬剤はＰＴＰシート、裸錠（ＰＴＰシートから取り出された錠剤）の２種類が想定され、持参薬撮影装置２００と、持参薬撮影装置２００で撮影した画像を取り込む持参薬識別装置（情報処理装置）１００、薬剤マスター１０００に薬剤の情報を登録する薬剤マスター用ＤＢサーバ（情報処理装置）３００で構成される。
【００１３】
持参薬撮影装置２００には、薬剤トレイ上にＰＴＰシートまたは裸錠を乗せて、ＰＴＰシートまたは裸錠の表裏を撮影するためのカメラが上下に搭載される。また、撮影時に使用する照明がＰＴＰシート用、裸錠用の２種類が上下に搭載される。また、照明のＯＮ／ＯＦＦ、光量を制御する照明制御が搭載される。
【００１４】
持参薬識別装置１００は薬剤マスター用ＤＢ３００と通信可能に接続されている。
【００１５】
図２を説明する。
【００１６】
以下、図２を用いて、持参薬識別装置１００、薬剤マスター用ＤＢサーバ３００のハードウェア構成について説明する。
【００１７】
ＣＰＵ１は、システムバス４に接続される各デバイスやコントローラを統括的に制御する。また、ＲＯＭ２あるいは外部メモリ１１には、ＣＰＵ１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１８】
ＲＡＭ３は、ＣＰＵ１の主メモリ、ワークエリア等として機能する。ＣＰＵ１は、処理の実行に際して必要なプログラム等をＲＯＭ２あるいは外部メモリ１１からＲＡＭ３にロードして、該ロードしたプログラムを実行することで各種動作を実現するものである。
【００１９】
また、５は入力コントローラで、キーボード（ＫＢ）９やカメラデバイス１２（撮像装置）、不図示のマウス等のポインティングデバイス等からの入力を制御する。２０６はビデオコントローラで、ＣＲＴディスプレイ（ＣＲＴ）１０等の表示器への表示を制御する。なお、ＣＲＴ１０と記載しているが、表示器はＣＲＴだけでなく、液晶ディスプレイ等の他の表示器であってもよい。これらは必要に応じて管理者が使用するものである。
【００２０】
メモリコントローラ７は、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ１１へのアクセスを制御する。
【００２１】
通信Ｉ／Ｆコントローラ８は、ネットワーク（例えば、図に示したＬＡＮ）を介して外部機器と接続・通信するものであり、ネットワークでの通信制御処理を実行する。例えば、ＴＣＰ／ＩＰを用いた通信等が可能である。
【００２２】
なお、ＣＰＵ１は、例えばＲＡＭ３内の表示情報用領域へアウトラインフォントの展開（ラスタライズ）処理を実行することにより、ＣＲＴ１０上での表示を可能としている。また、ＣＰＵ１は、ＣＲＴ１０上の不図示のマウスカーソル等でのユーザ指示を可能とする。
【００２３】
本発明を実現するための後述する各種プログラムは、外部メモリ１１に記録されており、必要に応じてＲＡＭ３にロードされることによりＣＰＵ１によって実行されるものである。さらに、上記プログラムの実行時に用いられる定義ファイル及び各種情報テーブル等も、外部メモリ１１に格納されており、これらについての詳細な説明も後述する。
【００２４】
また、本発明における実行可能なプログラムは、図３乃至図４の処理をコンピュータに実行させるプログラムである。なお、本発明におけるプログラムは、図３乃至図４の各処理ごとのプログラムであってもよい。
【００２５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００２６】
この場合、記録媒体から読み出されたプログラム自体が本発明の新規な機能を実現することになり、そのプログラムを記録した記録媒体は本発明を構成することになる。
【００２７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００２８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００２９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００３０】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００３１】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【００３２】
以下、図３乃至図４のフローチャート図を参照し、ＰＴＰシートの識別結果出力処理、ＰＴＰシートのマスター画像登録処理について説明する。図３乃至図４のフローチャート図は、持参薬識別装置１００のＣＰＵの指示により、持参薬識別装置１００と薬剤マスター用ＤＢサーバ３００とが連携して実行するものする。
【００３３】
図３を説明する。
【００３４】
持参薬識別装置１００で実行されるＰＴＰシートの識別結果出力処理に関する処理フローである。
入院患者が持参するＰＴＰシートと、薬剤ＤＢに登録されているＰＴＰシートの類似度を算出する際、一般的ンテンプレートマッチングでは、撮影時の位置、回転、スケールが変化する場合に処理時間がかかる。この問題を解決するために、ＰＴＰシートの横幅は不変であること、ＰＴＰシートは同一の単一ピースが縦に繋がっていることを利用し、処理時間を短縮する。
【００３５】
ＰＴＰシートの識別結果出力処理フローを説明する。
【００３６】
Ｓ１１０１では、薬剤マスター用ＤＢサーバ３００で撮影された入力画像（第３のＰＴＰシート撮影画像）を１枚だけ抽出する。
【００３７】
Ｓ１１０２では、薬剤ＤＢから、ある薬剤のマスター画像、及び、マスター画像の幅Ｗ１と高さＨ１を取得する。
【００３８】
Ｓ１１０３では、薬剤ＤＢに、タブ領域の高さ情報が存在する場合、タブ領域の高さを取得する。
【００３９】
Ｓ１１０４では、入力画像内のＰＴＰシート領域を抽出して切り出す。
【００４０】
Ｓ１１０５では、上記で抽出したＰＴＰシート領域の幅Ｗ２と高さＨ２を測定する。
【００４１】
Ｓ１１０６／Ｓ１１０７では、入力画像とマスター画像が同一薬剤の場合、入力画像の幅Ｗ２と高さＨ２のどちらかが、マスター画像の幅Ｗ１と一致するため、
どちらかと一致するかどうかを判定する。
【００４２】
Ｓ１１０８では、マスター画像の幅Ｗ１と入力画像の高さＨ２が一致する場合は、入力画像のＰＴＰシート領域を９０度回転する。（上記により、マスター画像のＷ１と入力画像のＷ２を一致させ、マッチング時のスライドを高さ方向に限定するためである）
Ｓ１１０９では、マスター画像と入力画像をマッチングし、類似度を算出する。
【００４３】
Ｓ１１１１では、タブ領域の高さ情報が取得できた場合、入力画像の参照位置を高さ方向にタブ領域の高さ分オフセットする。
【００４４】
Ｓ１１１４では、タブ領域の高さ情報が取得できない場合、持参薬識別装置１００の設定部が、入力画像と、指定部が指定した単一ピース分のマスター画像の単一ピース領域とをそれぞれマッチングさせる領域として、この入力画像でのマッチング対象領域を設定している。
【００４５】
Ｓ１１１２／Ｓ１１１５では、マスター画像と入力画像の類似度を算出する。
【００４６】
つまりＳ１１１２／Ｓ１１１５では、Ｓ１１０２で指定されたマスター画像（単一ピース領域）をつかって、入力画像におけるマッチング対象領域の中で、指定されたマスター画像（単一ピース領域）を少しずつずらしながら、入力画像におけるマッチング対象領域の中で指定されたマスター画像（単一ピース領域）と最も類似する箇所を見つける処理を行っている。
【００４７】
Ｓ１１１３／Ｓ１１１６では、入力画像におけるマッチング対象領域の中で指定されたマスター画像（単一ピース領域）と最も類似する箇所を見つける処理の結果で、最も高いマッチング率を当該指定されたマスター画像（単一ピース領域）とのマッチング率として一時メモリ（ＲＡＭ）に保持する。
【００４８】
Ｓ１１１０／Ｓ１１１７では、タブ領域の高さ情報が取得できない場合、任意の高さ分のオフセットを繰り返した合計のオフセット量がマスター画像の高さＨ１に達するまでに戻る。
【００４９】
Ｓ１１１８では、薬剤マスター（登録後）にあるの全ての薬剤名に対応するマスター画像が指定されるまでＳ１１０２〜Ｓ１１１７を繰り返す。
【００５０】
Ｓ１１１９では、入力画像（第３のＰＴＰシート撮影画像）の識別結果（ＰＴＰシート名）を画面（図７）に出力する。つまり、図７のように、入力画像（第３のＰＴＰシート撮影画像）を画像解析した特徴量情報Ａと、ランダムに選択した薬剤名に対応する単一ピース領域のマスター画像ファイル４０６の特徴量情報Ｂとを、１枚ずつ特徴量情報マッチングさせて、多数の単一ピース領域のマスター画像ファイル４０６集の中から、特徴量情報Ａと最も高い類似度が得られた単一ピース領域のマスター画像ファイル４０６に関連づけられている薬剤名を識別して、持参薬識別結果に（例えばクラレス錠２０ｍｇの可能性が高い）表示している。
【００５１】
図４を説明する。
【００５２】
持参薬識別装置１００で実行されるＰＴＰシートのマスター画像登録処理に関する処理フローである。
【００５３】
ＰＴＰシートのマスター画像登録処理フローを説明する。
【００５４】
Ｓ１２０１では、入力画像（第１のＰＴＰシート撮影画像）を１枚抽出する。この時に図８の画面の登録薬剤名に例えばクラレス錠２０ｍｇを指定することで、薬剤マスター１０００（座標データ）を参照して、クラレス錠２０ｍｇに関連づけられている単一ピース座標５１０の各データを取得する。
【００５５】
Ｓ１２０２では、入力画像（第１のＰＴＰシート撮影画像）からＰＴＰシートのタブ領域を画像解析して抽出する。
【００５６】
Ｓ１２０３では、Ｓ１２０１で取得したクラレス錠２０ｍｇに関連づけられている単一ピース座標５１０を使って１枚抽出した入力画像におけるＰＴＰシートの単一ピースの画像領域を抽出する。
【００５７】
Ｓ１２０４では、Ｓ１２０２で抽出したＰＴＰシートの単一ピースの画像領域を入力画像から切り出す。
【００５８】
Ｓ１２０５では、Ｓ１２０３で抽出した単一ピースの画像領域を画像解析して、画像解析した単一ピースの画像領域の幅（Ｗ１）と高さ（Ｈ１）を測定する。
【００５９】
Ｓ１２０６では、Ｓ１２０２で抽出したタブ領域を画像解析して、画像解析したタブ領域の幅と高さ（Ｈ３）を測定する。
【００６０】
Ｓ１２０７では、Ｓ１２０３でＰＴＰシートの単一ピースの画像領域を入力画像から切り出した単一ピース領域の切り出し画像４０２をマスター画像として、Ｓ１２０１で指定した登録薬剤名に一意に対応づけて薬剤マスター１０００（登録後）に新規登録する。
【００６１】
Ｓ１２０８では、Ｓ１２０５で測定した単一ピース領域の幅と高さを、Ｓ１２０１で指定した登録薬剤名に一意に対応づけて薬剤マスター（登録後）に新規登録する。
【００６２】
Ｓ１２０９では、Ｓ１２０６で測定したタブ領域の幅と高さを、Ｓ１２０１で指定した登録薬剤名に一意に対応づけて薬剤マスター（登録後）に新規登録する。
【００６３】
図５を説明する。
【００６４】
薬剤マスターに新規に登録されたマスター画像ファイルの一例を示したである。
【００６５】
ＰＴＰシートの撮影画像には、ＰＴＰシート全体４０１とマスキング無しの各錠剤ポケット４０４が写っている。
【００６６】
単一ピースの切り出し画像には、ＰＴＰシート全体４０１から単一ピースを切り出した単一ピース領域４０２と、マスキング無しの各錠剤ポケット領域４０４とが写っている。
【００６７】
ポケット領域をマスキングする画像には、ＰＴＰシート全体４０１から単一ピースを切り出した単一ピース枠４０３と、各錠剤ポケット領域４０４だけがマスキング加工済みの各錠剤ポケット領域４０５が写っている。
【００６８】
単一ピースのマスター画像４０６は、単一ピース領域４０２の上に各錠剤ポケット領域４０４だけがマスキング加工済みの各錠剤ポケット領域４０５を重畳させたものである。
【００６９】
尚マスキング加工は、錠剤ポケット領域４０４を、単一ピース領域４０２から除外する処理でもよく、錠剤ポケット領域４０４を均一化する処理でもよい。
【００７０】
図６を説明する。
【００７１】
上段は薬剤マスター１０００で予め管理される、ＰＴＰシート種別（あるいは薬剤名）毎に関連付けられた各種ＰＴＰシートデータを並べたテーブルである。
【００７２】
薬剤名５０９は、例えばクラレス錠２０ｍｇであり、クラレス錠２０ｍｇの薬剤名やＰＴＰシート名を別の薬剤やＰＴＰシート名と識別可能なシートデータである。
【００７３】
単一ピース座標５１０は、例えば２点のＸ，Ｙ座標（位置情報）であり、ＰＴＰシート名毎に測定された基準座標（０，０）からの相対座標であり、基準座標（０，０）から見た単一ピース領域の左下座標と右上座標が予め登録されている。
【００７４】
ポケット中心座標５１１は、例えば２点のＸ，Ｙ座標（位置情報）であり、ＰＴＰシート名毎に測定された基準座標（０，０）からの相対座標であり、基準座標（０，０）から見た左錠剤ポケット領域の中心座標、右錠剤ポケット領域の中心座標が予め登録されている。
【００７５】
ポケット直径５１２は、例えば錠剤ポケット（サイズ情報、形状情報）であり、錠剤ポケット領域の直径（５ｍｍ等）、形状（丸型、カプセル型等）が予め登録されている。
【００７６】
下段は薬剤マスター１０００に新規登録される、ＰＴＰシート種別（あるいは薬剤名）毎に関連する各種ＰＴＰシートデータを並べたテーブルである。
【００７７】
薬剤名５０１は、例えばクラレス錠２０ｍｇであり、クラレス錠２０ｍｇの薬剤名やＰＴＰシート名を別の薬剤やＰＴＰシート名と識別可能なシートデータである。薬剤名５０１には、図８のマスター画像新規登録画面内で、登録薬剤名７０３に入力された名前が新規登録される。
【００７８】
単一ピースマスター画像５０２は、例えばＰＴＰシートのマスター画像登録処理で、クラレス錠２０ｍｇのＰＴＰシートから切り出したクラレス錠２０ｍｇを識別する目的のマスター画像であり、例えば図５の４０６のような画像ファイル（ＧＩＦファイル等）として新規登録される。
【００７９】
単一ピース高さ５０３は、例えばＰＴＰシートのマスター画像登録処理で、クラレス錠２０ｍｇのＰＴＰシートから切り出した単一ピース領域の高さ（Ｈ）を算出し、新規登録される。
【００８０】
単一ピース幅５０４は、例えばＰＴＰシートのマスター画像登録処理で、クラレス錠２０ｍｇのＰＴＰシートから切り出した単一ピース領域の幅（Ｗ）を算出し、新規登録される。
【００８１】
ＰＴＰシート高さ５０５は、例えばクラレス錠２０ｍｇのＰＴＰシートの高さ（Ｈ）が予め登録されている。
【００８２】
ＰＴＰシート幅５０６は、例えばクラレス錠２０ｍｇのＰＴＰシートの幅（Ｗ）が予め登録されている。
【００８３】
耳部高さ５０７は、例えばＰＴＰシートのマスター画像登録処理で、クラレス錠２０ｍｇのＰＴＰシートから切り出した耳部（タブ部）領域の幅（Ｈ）を算出し、新規登録される。
【００８４】
図７を説明する。
【００８５】
持参薬識別装置１００が表示制御する識別結果表示画面である。識別結果表示画面は、Ｓ１１１０の結果を画面で出力するものである。
【００８６】
持参薬ＰＴＰシート画像６０１には、持参薬撮影装置２００で撮影された持参薬であるＰＴＰシート（第３のＰＴＰシート撮影画像）が表示されている。つまり持参薬であるＰＴＰシートの単一ピース領域を、多数のマスター画像と特徴量でマッチングすることで、最も類似度の高いマスター画像を探している。
【００８７】
類似マスター画像６０２には、持参薬であるＰＴＰシートに最も類似度の高いマスター画像が表示されている。
【００８８】
持参薬識別結果６０３には、類似マスター画像に表示されているマスター画像に対応する薬剤名（ＰＴＰシート名）が表示されている。
【００８９】
持参薬登録ボタン６０４は、表示されたマスター画像に対応する薬剤名（ＰＴＰシート名）が正しく持参薬として登録するためのボタンである。
【００９０】
キャンセルボタン６０５は、表示されたマスター画像に対応する薬剤名（ＰＴＰシート名）が間違いであり持参薬としてキャンセルするためのボタンである。
【００９１】
図８を説明する。
【００９２】
持参薬識別装置１００が表示制御するマスター画像新規登録画面である。マスター画像新規登録画面は、Ｓ１２１１の結果を画面で出力するものである。
【００９３】
撮影した画像７０１には、持参薬撮影装置２００で撮影されたマスター画像として登録したいＰＴＰシート（第１のＰＴＰシート撮影画像）が表示されている。
【００９４】
抽出単一ピース画像７０２には、マスター画像として登録したいＰＴＰシートから切り出された単一ピース領域であって、錠剤ポケットがマスキング加工済みの単一ピース画像（第２のＰＴＰシート撮影画像）が表示されている。
【００９５】
登録薬剤名７０３には、表示された単一ピース画像と対応づけさせたい薬剤名（ＰＴＰシート名）をユーザが手動で入力する欄である。
【００９６】
薬剤マスター登録ボタン７０４は、表示された単一ピース画像と対応づけさせたい薬剤名（ＰＴＰシート名）を薬剤マスターに新規登録するためのボタンである。
【００９７】
キャンセルボタン７０５は、表示された単一ピース画像と対応づけさせたい薬剤名（ＰＴＰシート名）の薬剤マスターへの登録をキャンセルするためのボタンである。
【００９８】
図９を説明する。
【００９９】
持参薬識別装置１００の機能ブロックを示したものである。
【０１００】
持参薬識別装置１００の指定部は、単一ピース分のマスター画像を指定する機能を有する。
【０１０１】
持参薬識別装置１００の設定部は、入力画像と、指定部が指定した単一ピース分のマスター画像の単一ピース領域とをそれぞれマッチングさせる領域として、当該入力画像でのマッチング対象領域を設定する機能を有する。
【０１０２】
薬剤マスター用ＤＢサーバ３００の機能ブロックを示したものである。
【０１０３】
薬剤マスター用ＤＢサーバ３００の記憶部は、単一ピース分のマスター画像毎５０２に当該マスター画像の長さデータ５０３を対応づけて記憶する機能を有する。
【０１０４】
尚、上記薬剤マスター用ＤＢサーバ３００と同じ機能の記憶部を、持参薬識別装置１００が備えていてもよい。
【０１０５】
図１０を説明する。
【０１０６】
図１０の上図（左）は、本願発明のＰＴＰシートの識別結果出力処理時に入力画像から実際に測定される、完全なＰＴＰシートの幅（Ｗ２）と高さ（Ｈ２）、タブ領域の高さ（Ｈ３）の測定箇所を示したものである。
【０１０７】
図１０の上図（右）は、薬剤マスター（登録後）に登録されている、単一シート領域の幅（Ｗ１）と高さ（Ｈ１）の測定箇所を示したものである。
【０１０８】
図１０を説明する。
【０１０９】
図１０の下図（左）は、本願発明のＰＴＰシートの識別結果出力処理時に入力画像において設定される、指定されたマスター画像（単一ピース領域）毎に異なるマッチング対象領域を示したものである。
【０１１０】
図１０の場合、起点はＰＴＰシートの識別結果出力処理時の入力画像における起点であり、ＰＴＰシートの端部を起点とし、ランダムに指定されたマスター画像（単一ピース領域）の長さデータの２倍分までを終点とし、起点から終点までをマッチング対象領域の長さデータとして設定される。
【０１１１】
つまり、指定されたマスター画像（単一ピース領域）をつかって、入力画像とマッチングする場合、入力画像におけるマッチング対象領域の中で、指定されたマスター画像（単一ピース領域）を少しずつずらしながら、入力画像におけるマッチング対象領域の中で指定されたマスター画像（単一ピース領域）と最も類似する箇所を見つけることができ、最も類似する箇所が見つかった場合には、指定されたマスター画像（単一ピース領域）が入力画像と高いマッチング率を示すことになる。
【０１１２】
逆に、入力画像におけるマッチング対象領域の中で指定されたマスター画像（単一ピース領域）とは全く類似する箇所を見つけることができなかった場合には、指定されたマスター画像（単一ピース領域）は入力画像と低いマッチング率を示すことになる。
【０１１３】
このように、指定されたマスター画像（単一ピース領域）の１倍以上で２倍以下にマッチング対象領域の長さデータとして設定されることで、入力画像におけるマッチング対象領域の中で、指定されたマスター画像（単一ピース領域）と類似する箇所を見つけることができ、マッチングされる対象の形状が複数状態になり得る入力画像とのマッチングに要する処理時間を低下させることが可能となる。
【０１１４】
尚、指定されたマスター画像（単一ピース領域）の倍数分にマッチング対象領域の長さデータとして設定されることで、入力画像におけるマッチング対象領域の中で、指定されたマスター画像（単一ピース領域）と類似する箇所を見つけることができ、マッチングされる対象の形状が複数状態になり得る入力画像とのマッチングに要する処理時間を低下させることもが可能となる。
【０１１５】
尚、マッチング対象領域の長さデータとして設定される倍数は整数２、３、４等でもよく、少数を含む倍数２．５、３．５、４．５等であっても問題ない。ＰＴＰシートの識別結果出力処理時に測定される入力画像の長さを超えない倍数であればよい。
【符号の説明】
【０１１６】
１００  持参薬識別装置（情報処理装置）
２００  持参薬撮影装置（画像取得装置）
３００  薬剤マスター用ＤＢサーバ（情報処理装置）
【図１】
2018173804.tif 000003
【図２】
2018173804.tif 000004
【図３】
2018173804.tif 000005
【図４】
2018173804.tif 000006
【図５】
2018173804.tif 000007
【図６】
2018173804.tif 000008
【図７】
2018173804.tif 000009
【図８】
2018173804.tif 000010
【図９】
2018173804.tif 000011
【図１０】
2018173804.tif 000012